(57)【要約】      （修正有）【課題】原稿の照明光量が低下することがなく、しかも、光源自体の温度上昇や、周囲の温度が不本意に上昇するのを防止することが可能な画像読取装置を提供する。【解決手段】原稿の画像を光源によって照明しつつ、当該原稿の画像を読取る走査光学系を所定の位置に停止させた状態で、前記原稿を一定の速度で搬送しつつ、当該原稿の画像を読取る原稿移動読取モードと、プラテンガラス上に載置された原稿を、前記走査光学系を移動させて、当該原稿の画像を読取る原稿固定読取モードとを備えた画像読取装置において、前記原稿移動読取モード時に前記光源に供給する電力を、前記原稿固定読取モードに対して低下させるように構成して課題を解決した。【選択図】図１
2008085394.tif 000002
【特許請求の範囲】
【請求項１】
原稿の画像を光源によって照明しつつ、当該原稿の画像を読取る走査光学系を所定の位置に停止させた状態で、前記原稿を一定の速度で搬送しつつ、当該原稿の画像を読取る原稿移動読取モードと、プラテンガラス上に載置された原稿を、前記走査光学系を移動させて、当該原稿の画像読取る原稿固定読取モードとを備えた画像読取装置において、
前記原稿移動読取モード時に前記光源に供給する電力を、前記原稿固定読取モードに対して低下させたことを特徴とする画像読取装置。
【請求項２】
前記走査光学系が原稿移動読取モードにおける読取位置に移動した際に、前記光源からの光を前記原稿の読取位置へと反射する補助反射部材を設けたことを特徴とする請求項１に記載の画像読取装置。
【請求項３】
前記走査光学系が原稿移動読取モードにおける読取位置に移動した際に、前記補助反射部材を前記原稿の読取位置近傍へと移動させることを特徴とする請求項２に記載の画像読取装置。
【請求項４】
前記走査光学系が原稿移動読取モードにおける読取位置を超えてさらに筐体端部に移動した際に、前記補助反射部材を前記走査光学系を回避する位置に退避させることを特徴とする請求項２又は３に記載の画像読取装置。
【発明の詳細な説明】
【技術分野】
【０００１】
この発明は、電子写真方式等を採用した複写機やプリンター、あるいはファクシミリ等の画像形成装置に使用される画像読取装置に関し、特に原稿の画像を読み取る読取手段を所定の位置に停止させた状態で、原稿を一定の速度で搬送しつつ、当該原稿の画像を読取手段によって読み取る原稿移動読取モードを備えた画像読取装置に関するものである。
【背景技術】
【０００２】
【特許文献１】実開昭５９−１５８１３６号公報
【特許文献２】特開２００５−２７７７７４号公報
【０００３】
従来、この種の電子写真方式等を採用した複写機やプリンター、あるいはファクシミリ等の画像形成装置に使用される画像読取装置としては、原稿をプラテンガラス上に載置した状態で、当該原稿の画像を光源によって照明した状態で、原稿の画像を１枚のフルレートミラーと２枚のハーフレートミラーによって光路を折り返した状態で、結像レンズを介してＣＣＤ等からなる読取素子上に、走査光学系を介して露光することによって、原稿の画像を読み取るように構成されている。
【０００４】
また、上記画像読取装置では、原稿をプラテンガラス上に載置した状態で読み取る原稿固定読取モードの他に、光源やフルレートミラー、及びハーフレートミラー等からなる走査光学系を所定の読取位置に停止させた状態で、原稿を一定の速度で搬送しつつ、当該原稿の画像を走査光学系を介して読み取る原稿移動読取モードを備えるように構成されている場合が多い。
【０００５】
ところで、上記の如く構成される画像読取装置では、原稿移動読取モードで原稿の画像を読み取る際に、走査光学系が所定の読取位置に停止した状態で、当該原稿の画像を走査光学系を介して読み取ることになるため、所定の読取位置に停止した光源が原稿の読取位置を常時照明することになり、図８に示すように、光源自体の温度が上昇し、光源の光量が低下するばかりか不均一となるとともに、原稿の読取位置近傍の温度が上昇するという問題点を有していた。
【０００６】
そこで、かかる問題点を解決し得る技術としては、例えば、画像読取装置ではないが、同様の課題に適用可能な実開昭５９−１５８１３６号公報や、特開２００５−２７７７７４号公報等に開示された技術が既に提案されている。
【０００７】
この実開昭５９−１５８１３６号公報に係る複写機は、照明ランプを含む走査光学系の移動により透明ガラス上に静置された原稿を走査して感光体上に露光する光学系移動モードと、走査光学系を光学系移動モードでの走査終了位置側に停止させ透明ガラス上で原稿を定速搬送することにより原稿を走査して感光体上に露光する原稿移動モードとを有する複写機において、原稿移動モード切替え時所定位置に停止させられる照明ランプと透明ガラスとの間に進退可能であって原稿移動モード切替えに伴って照明ランプと透明ガラス間に進入させられる防熱フィルタを設けるように構成したものである。
【０００８】
また、上記特開２００５−２７７７７４号公報に係る画像読み取り装置は、
原稿を載置する載置手段と、
原稿を搬送する搬送手段と、
前記載置手段に載置される原稿の画像を第１の読み取り位置で読み取り、前記搬送手段により搬送される原稿の画像を第２の読み取り位置で読み取る受光素子を備えた読み取り手段と、
前記第１の読み取り位置における原稿の読み取り面から前記受光素子までの光路長と、前記第２の読み取り位置における原稿の読み取り面から当該受光素子までの光路長とを合わせる調整手段とを含むように構成したものである。
【発明の開示】
【発明が解決しようとする課題】
【０００９】
しかしながら、上記従来技術の場合には、次のような問題点を有している。すなわち、上記実開昭５９−１５８１３６号公報に係る複写機の場合には、原稿移動モード切替え時所定位置に停止させられる照明ランプと透明ガラスとの間に進退可能であって原稿移動モード切替えに伴って照明ランプと透明ガラス間に進入させられる防熱フィルタを設けるように構成したものであり、原稿移動モード時に、防熱フィルタが照明ランプと透明ガラス間に進入させられるため、原稿の照明光量が低下してしまい、読取精度が低下するといった問題点を有していた。
【００１０】
また、上記特開２００５−２７７７７４号公報に係る画像読み取り装置の場合には、載置手段に載置される原稿の画像を読み取る第１の読み取り位置と、搬送手段により搬送される原稿の画像を読み取る第２の読み取り位置との相違から、調整手段によって、第１の読み取り位置における原稿の読み取り面から前記受光素子までの光路長と、前記第２の読み取り位置における原稿の読み取り面から当該受光素子までの光路長とを合わせるように構成したものであるが、前記調整手段は、具体的に、走査光学系を載置手段に近づけるものであるため、発熱源ある走査光学系がより載置手段に近接することになり、載置手段や走査光学系の温度が上昇することに伴う弊害を解決することができないという問題点を有していた。
【００１１】
そこで、この発明は、上記従来技術の問題点を解決するためになされたものであり、その目的とするところは、原稿の照明光量が低下することがなく、しかも、光源自体の温度上昇や、周囲の温度が不本意に上昇するのを防止することが可能な画像読取装置を提供することにある。
【課題を解決するための手段】
【００１２】
すなわち、請求項１に記載された発明は、原稿の画像を光源によって照明しつつ、当該原稿の画像を読取る走査光学系を所定の位置に停止させた状態で、前記原稿を一定の速度で搬送しつつ、当該原稿の画像を読取る原稿移動読取モードと、プラテンガラス上に載置された原稿を、前記走査光学系を移動させて、当該原稿の画像を読取る原稿固定読取モードとを備えた画像読取装置において、
前記原稿移動読取モード時に前記光源に供給する電力を、前記原稿固定読取モードに対して低下させたことを特徴とする画像読取装置である。
【００１３】
また、請求項２に記載された発明は、前記走査光学系が原稿移動読取モードにおける読取位置に移動した際に、前記光源からの光を前記原稿の読取位置へと反射する補助反射部材を設けたことを特徴とする請求項１に記載の画像読取装置である。
【００１４】
さらに、請求項３に記載された発明は、前記走査光学系が原稿移動読取モードにおける読取位置に移動した際に、前記補助反射部材を前記原稿の読取位置近傍へと移動させることを特徴とする請求項２に記載の画像読取装置である。
【００１５】
又、請求項４に記載された発明は、前記走査光学系が原稿移動読取モードにおける読取位置を超えてさらに筐体端部に移動した際に、前記補助反射部材を前記走査光学系を回避する位置に退避させることを特徴とする請求項２又は３に記載の画像読取装置である。
【発明の効果】
【００１６】
この発明によれば、原稿の照明光量が低下することがなく、しかも、光源自体の温度上昇や、周囲の温度が不本意に上昇するのを防止することが可能な画像読取装置を提供することができる。
【発明を実施するための最良の形態】
【００１７】
以下に、この発明の実施の形態について図面を参照して説明する。
【００１８】
実施の形態１
図２はこの発明の実施の形態１に係る画像読取装置を示す断面構成図である。
【００１９】
図２において、１は画像読取装置の筐体を示すものであり、この画像読取装置筐体１は、内面が金属製のフレーム２によって構成され、上端面が大きく開口した略直方体形状の箱体状に形成されている。上記画像読取装置筐体１の上端面には、原稿３を載置する面積の大きな第１のプラテンガラス４が配設されているとともに、当該画像読取装置筐体１の上部には、第１のプラテンガラス４上に原稿３を押圧するプラテンカバーを兼ねた自動原稿搬送装置５（ＡＤＦ：ａｕｔｏ  ｄｏｃｕｍｅｎｔ  ｆｅｅｄｅｒ）が開閉自在に配設されている。また、上記画像読取装置筐体１の上端面には、第１のプラテンガラス４の左側の端部に、原稿３を一定の速度で搬送しつつ、当該原稿３の画像を読み取るための比較的幅の狭い第２のプラテンガラス６が配設されている。さらに、上記第２のプラテンガラス６と第１のプラテンガラス４との間には、当該第１のプラテンガラス４上に載置される原稿３の一端を付き当てて位置決めするための付き当て部材７が取り付けられている。
【００２０】
上記自動原稿搬送装置５は、図２に示すように、プラテンカバー部８の左側の端部に、原稿３を自動的に搬送する原稿搬送部９を備えている。この原稿搬送部９では、原稿載置トレイ１０上に載置された複数枚の原稿３が、給紙ロール１１によって給送されるとともに、ナジャーロール１２とフィードロール１３によって１枚ずつ分離した状態で給紙され、当該原稿３は、原稿搬送路１４に沿って配設された複数組の搬送ロール１５、１６、１７によって一定の速度で搬送されつつ、第２のプラテンガラス６上を通過する際に、後述するように走査光学系によって読み取られるようになっている。上記搬送ロール１５、１６、１７によって搬送された原稿３は、排出ロール１８によってプラテンカバー部８の上面にもうけられた排出トレイ１９上に排出される。
【００２１】
また、上記原稿３の表裏両面の画像を読み取る場合には、片面の画像が読み取られた原稿３を排出ロール１８によってそのまま排出トレイ１９上に排出せずに、原稿３の後端を排出ロール１８によって挟持している間に、当該排出ロール１８を逆転させて表裏反転経路２０へと導入し、この表裏反転経路２０を介して原稿３の表裏を反転した状態で、搬送ロール１５、１６、１７によって一定の速度で搬送されつつ、第２のプラテンガラス６上を通過する際に、原稿３の裏面の画像が後述するように走査光学系によって読み取られるようになっている。
【００２２】
さらに、上記画像読取装置筐体１の内部には、図２に示すように、自動原稿搬送装置５のプラテンカバー部８によって押圧された状態で、プラテンガラス４上に載置された原稿３を照明するキセノンランプ等からなる照明光源２１と、原稿３からの反射光像を水平方向に反射するフルレートミラー２２とが搭載された第１キャリッジ２３が配設されているとともに（図３乃至図５参照）、前記フルレートミラー２２によって反射された原稿３の反射光像を折り返すように反射する２枚のハーフレートミラー２４、２５が取り付けられた第２キャリッジ２６が配設されている（図６及び図７参照）。上記第１及び第２キャリッジ２３、２６は、副走査方向に沿って配設された図示しないガイドレールによって、画像読取装置に対して水平方向に沿ってスライド自在に取り付けられている。また、上記第１及び第２キャリッジ２３、２６は、図示しない駆動モータによって回転駆動される駆動プーリと、当該駆動プーリによって移動する張架ワイヤーとによって、第１キャリッジ２３がスキャン方向に沿って所定の移動速度Ｖで移動可能となっているとともに、第２キャリッジ２６がスキャン方向に沿って所定の移動速度（１／２）Ｖで移動可能となっている。その結果、上記第１及び第２キャリッジ２３、２６は、第１のプラテンガラス４上に載置された原稿３の画像を、光路長を変化させずに走査露光するように構成されている。
【００２３】
また、上記画像読取装置は、図２に示すように、原稿３の画像を光源２１によって照明しつつ、当該原稿３の画像を読取る走査光学系を所定の読取位置に停止させた状態で、前記読取位置を一定の速度で通過するように前記原稿３を搬送しつつ、当該原稿３の画像を読取る原稿移動読取モードを備えている。この原稿移動読取モード時においては、第１及び第２キャリッジ２３、２６は、図２に示すように、第１キャリッジ２３が第２のプラテンガラス６の直下に位置する読取位置で停止し、当該第２のプラテンガラス６上を一定の速度で移動する原稿３の画像を読み取るようになっている。その際、上記第１のキャリッジ２３及び第２のキャリッジ２６は、図８乃至図１１に示すように、ワイヤー及びプーリーによって駆動されて、読取位置において停止するように構成されている。
【００２４】
さらに、上記画像読取装置筐体１の内部には、図２に示すように、第１及び第２キャリッジ２３、２６によって走査露光される原稿３の画像を結像する結像レンズ２７が固定した状態で配設されているとともに、当該結像レンズ２７によって結像される原稿３の画像を読み取る読取手段としてのＣＣＤセンサー２８が固定した状態で配設されている。そして、上記原稿３の画像は、走査光学系２９を介してＣＣＤセンサー２８上に走査露光され、当該ＣＣＤセンサー２８によって所定のドット密度（例えば、４００ｄｐｉや６００ｄｐｉ）で読み取られるように構成されている。
【００２５】
上記ＣＣＤセンサー２８は、ＣＣＤプリント基板３０に取り付けられており、当該ＣＣＤプリント基板３０に設けられた図示しない駆動回路によって駆動されるように構成されている。上記ＣＣＤセンサー２８によって読み取られた原稿３の画像は、例えば、赤（Ｒ）、緑（Ｇ）、青（Ｂ）（各８ｂｉｔ）の３色の画像データとして画像処理／制御回路３１に送られ、当該画像処理／制御回路３１では、原稿３の画像データに対して、シェーディング補正、位置ズレ補正、明度／色空間変換、ガンマ補正、枠消し、色／移動編集等の所定の画像処理が施され、イメージデータが出力される。また、上記画像処理／制御回路３１は、第１及び第２キャリッジ２３、２６を駆動させる図示しない駆動モータを制御することによって、原稿３の画像を所定の倍率で読み取ることが可能となっている。
【００２６】
そして、上記の如く画像処理／制御回路３１で画像処理が施された画像データは、イエロー（Ｙ）、マゼンタ（Ｍ）、シアン（Ｃ）、黒（Ｋ）（各８ｂｉｔ）の４色の画像データに変換され、図示しない複写機やプリンターなどの画像出力装置に出力されるように構成されている。また、上記の如く画像処理／制御回路３１で画像処理が施された画像データは、図示しないパーソナルコンピュータ等に出力され、当該パーソナルコンピュータで所望の処理が行われるように構成しても勿論良い。
【００２７】
ところで、この実施の形態では、原稿の画像を光源によって照明しつつ、当該原稿の画像を読取る走査光学系を所定の位置に停止させた状態で、前記原稿を一定の速度で搬送しつつ、当該原稿の画像を読取る原稿移動読取モードと、プラテンガラス上に載置された原稿を、前記走査光学系を移動させて、当該原稿の画像読取る原稿固定読取モードとを備えた画像読取装置において、前記原稿移動読取モード時に前記光源に供給する電力を、前記原稿固定読取モードに対して低下させるように構成されている。
【００２８】
また、この実施の形態では、前記走査光学系が原稿移動読取モードにおける読取位置に移動した際に、前記光源からの光を前記原稿の読取位置近傍へと反射する補助反射部材を設けるように構成されている。
【００２９】
すなわち、この実施の形態に係る画像読取装置は、図１２に示すように、原稿移動読取モード時に照明ランプ２１に供給する電力を、原稿固定読取モードに対して低下させるように設定されている。上記照明ランプ２１に電力を供給する照明用電源４０は、例えば、図２に示すように、第１のキャリッジ２３に搭載されており、この照明用電源４０は、原稿移動読取モード時に照明ランプ２１に供給する電力を、原稿固定読取モードに対して、例えば、１０〜２０％程度だけ低くするように設定されている。上記照明用電源４０は、例えば、ランプ電力供給基板（ＰＳＦＬ／インバーター）として構成されており、このランプ電力供給基板には、コンデンサ等の基板実装部品が実装されている。ただし、上記原稿移動読取モード時に照明ランプ２１に供給する電力は、原稿固定読取モードに比較して低く設定されていれば良く、その電力低減割合は、１０〜２０％程度に限らず、それよりも小さくても大きくても良いことは勿論である。
【００３０】
また、この実施の形態では、図１及び図１３に示すように、原稿移動読取モード時に、第１及び第２のキャリッジ２３、２６が所定の読取位置に移動した際に、当該第２のキャリッジ２６と係合して、照明ランプ２１の光を原稿３の読取位置近傍へと反射するように移動する補助反射部材５０が設けられている。この補助反射部材５０は、例えば、画像読取装置筐体１内面の金属製のフレーム２に、上下方向に沿って傾斜した状態に移動自在なように取り付けれたアーム部材５１と、当該アーム部材５１の先端部に取り付けられた補助反射板５２とを備えるように構成されている。この補助反射板５２の表面５２ａは、鏡面仕上げされている。上記アーム部材５１は、第１のキャリッジ２３が原稿移動読取モード時における所定の読取位置に移動すると、第２のキャリッジ２６に設けられた突起５３と係合することにより、反時計回り方向に傾動して、照明ランプ２１から出射される光を原稿３の読取位置へと反射することにより、当該照明ランプ２１による照明光量を増加させて、照明ランプ２１への供給電力を低下させた分を補うようになっている。
【００３１】
上記アーム部材５１は、図１４及び図１５に示すように、例えば、補助反射部材５０の長手方向の両端部にそれぞれ取り付けれており、当該アーム部材５１の基端部５１ａは、図１に示すように、画像読取装置筐体１内面の金属製のフレーム２に、支点５４を中心にして上下方向に沿って傾斜した状態に移動自在に支持されている。また、上記アーム部材５１は、原稿移動読取モード時に、第１及び第２のキャリッジ２３、２６が所定の読取位置に移動した際に、図１及び図１３に示す状態で停止し、それ以上下方に回動しないように、ストッパー５４ａ（図１３参照）によって係止されている。ストッパー５４ａは、図１６に示すように、画像読取装置筐体１のフレーム２を切り起こして設けられた支点５４を、折り曲げて形成されている。なお、上記補助反射板５２の長さＸは、図７に示すように、第２のキャリッジ２６の長さＹよりも短く設定されている。
【００３２】
また、上記アーム部材５１は、図１７に示すように、第２のキャリッジ２６の上端面において、その長手方向の両端部に上方に向けて特設された突起５３と係合することにより、第１のキャリッジ２３が所定の読取位置まで移動する際に、上方に退避することにより、当該第２のキャリッジ２６との干渉を回避して、第１のキャリッジ２３が所定の読取位置で停止した状態で、補助反射部材５０を第１のキャリッジ２３と第２のキャリッジ２６の間の所定位置に配設するように構成されている。
【００３３】
更に説明すると、上記アーム部材の先端部５１ｂは、図１７及び図１８に示すように、上方に向けて所定の角度だけ傾斜した状態で設けられており、第２のキャリッジ２６の突起５３がアーム部材５１の先端部５１ｂと係合した状態で、当該アーム部材５１を反時計回り方向に回動させることにより、補助反射部材５０が第２のキャリッジ２６と干渉しないように構成されている。
【００３４】
また、上記アーム部材５１の中間部５１ｃは、図１８に示すように、第１のキャリッジ２３が読取位置まで移動する間に、アーム部材５１を反時計回り方向に回動させた状態を保持し、補助反射部材５０と第１のキャリッジ２３との干渉を回避する形状に形成されている。なお、上記第２のキャリッジ２６が読取位置への移動を終了した状態では、図１８に示すように、アーム部材５１の基端部５１ａに設けられた凹部が、第２のキャリッジ２６の突起５３に係合し、補助反射部材５０が第１のキャリッジ２３と第２のキャリッジ２６との間の所定位置に停止する。
【００３５】
さらに、上記アーム部材５１の基端部５１ａは、図１及び図１８に示すように、第１のキャリッジ２３が読取位置に停止した状態で、アーム部材５１を時計回り方向へ回動させて、上述したように、補助反射部材５０を第１のキャリッジ２３と第２のキャリッジ２６の間の所定位置に配設するように、凹形状に形成されている。
【００３６】
さらに、上記アーム部材５１は、図１９に示すように、第１のキャリッジ２３が読取停止位置を超えてさらに筐体端部（左端）方向に移動したときに、前記第１のキャリッジ２３と干渉しないように、前記補助反射部材５０を反時計回り方向に回動させるための傾斜形状５１ｄを備えている。
【００３７】
上記補助反射部材５０の形状は、平面状であっても良いが、照明ランプ２１からの光を効率良く原稿３の読取位置へと反射するように、図１に示すように、曲面状に形成するのが望ましい。また、この補助反射部材５０の面積は、図１に示すように、設置スペースが限られているため、あまり大きく設定することができないが、照明ランプ２１からの光を効率良く原稿３の読取位置へと反射するように、可能な限り大きく設定するのが望ましい。
【００３８】
また、図示の実施の形態では、図１に示すように、画像読取装置筐体１内面の金属製のフレーム２に、照明ランプ２１からの光を原稿３の読取位置へと反射するように、固定補助反射部材５５が固定した状態で設けられている。この固定補助反射部材５５は、上記可動式の補助反射部材５０と干渉しない位置に配設されていることは勿論である。
【００３９】
以上の構成において、この実施の形態１に係る画像読取装置では、次のようにして、原稿の照明光量が低下することがなく、しかも、光源自体の温度上昇や、周囲の温度が不本意に上昇するのを防止することが可能となっている。
【００４０】
すなわち、この実施の形態１に係る画像読取装置では、図２に示すように、原稿移動読取モード時に、第１及び第２のキャリッジ２３、２６を所定の読取位置に移動させるようになっている。その際、上記第１のキャリッジ２３が所定の読取位置に移動する際に、当該第２のキャリッジ２６の幅方向の両端部に設けられた突起５３が、補助反射部材５０に取り付けられたアーム部材５１と係合し、図１７に示すように、アーム部材５１を反時計回り方向に回動させることにより、第２のキャリッジ２６のハーフレートミラー２４が補助反射部材５０と干渉するのを回避するようになっている。
【００４１】
そして、上記第１のキャリッジ２３が所定の読取位置に移動して停止した状態では、図１に示すように、補助反射部材５０が第２のキャリッジ２６の上方に配設される。
【００４２】
この実施の形態１に係る画像読取装置では、図１２に示すように、原稿移動読取モード時に、第１のキャリッジ２３に設けられた照明ランプ２１に供給する電力を、原稿固定読取モード時よりも低下させるように設定されており、照明ランプ２１は、原稿固定読取モード時よりも少ない電力で点灯して、原稿３を照明することにより、当該原稿３の画像を読み取るようになっている。
【００４３】
また、この実施の形態１に係る画像読取装置では、図１に示すように、上述した如く、原稿移動読取モード時に、補助反射部材５０が第１のキャリッジ２３と第２のキャリッジ２６の間の所定位置に配設され、この補助反射部材５０が照明ランプ２１から照射される光を原稿３の読取位置へ向けて反射し、照明ランプ２１の電力低下分を補うようになっている。
【００４４】
そのため、この実施の形態１では、照明ランプ２１に供給する電力を、原稿固定読取モード時よりも低下させるように設定されているので、照明ランプ２１自体の温度上昇や、周囲の温度が不本意に上昇するのを防止することが可能となっている。
【００４５】
しかも、この実施の形態１では、原稿移動読取モード時に、補助反射部材５０が第１のキャリッジ２３と第２のキャリッジ２６の間の所定位置に配設され、照明ランプ２１から照射される光を、原稿３の読取位置へ向けて反射するように構成されているので、照明ランプ２１に供給する電力を低下させた場合でも、図２０に示すように、原稿３を十分な光量で照明することができ、原稿３の照明光量が不本意に低下することがなく、原稿３の画像読取りを良好に行うことができる。
【００４６】
このように、上記実施の形態１では、照明ランプ２１への供給電力を下げることにより、走査光学系に積載されているランプ電力供給基板（ＰＳＦＬ／インバーター）の負荷を下げ、基板実装部品（コンデンサ等）の発熱量を抑えることができる。これにより、電力供給基板全体の輻射熱を抑え、図２０に示すように、走査光学系の原稿移動読取モード時の読取位置近辺におけるプラテンガラスの温度上昇を抑制することができる。
【００４７】
また、上記実施の形態１では、原稿移動読取モード時にのみ機能する補助反射部材５０が設けられているので、照明ランプ２１からの集光効率を上げることができ、走査光学系の原稿固定読取モード時と略同等の原稿照射光量を確保することができる。この補助反射部材５０は、走査光学系が原稿移動読取モード時の読取位置に移動して停止した時に、最適な集光効率となる位置に配置されている。
【００４８】
さらに、原稿移動読取モード時にのみ機能する補助反射部材５０が設けられているので、発熱元である走査光学系（ランプ電力供給基板）自体をプラテンガラスに近づけることなく、原稿移動読取モード時における集光効率を上げることができる。
【００４９】
なお、上記補助反射部材５０は、第１及び第２のキャリッジ２３、２６と干渉しない位置であれば、固定した状態で設けても良い。
【図面の簡単な説明】
【００５０】
【図１】図１はこの発明の実施の形態１に係る画像読取装置を示す概略構成図である。
【図２】図２はこの発明の実施の形態１に係る画像読取装置を示す断面構成図である。
【図３】図３は第１のキャリッジを示す構成図である。
【図４】図４は第１のキャリッジを示す斜視構成図である。
【図５】図５は第１のキャリッジの背面側を示す斜視構成図である。
【図６】図６は第２のキャリッジを示す斜視構成図である。
【図７】図７は第１及び第２のキャリッジを示す斜視構成図である。
【図８】図８は読取位置に停止した第１及び第２のキャリッジを示す平面構成図である。
【図９】図９は読取位置に停止した第１及び第２のキャリッジを示す正面構成図である。
【図１０】図１０は読取位置に停止した第１及び第２のキャリッジを示す斜視構成図である。
【図１１】図１１は読取位置に停止した第１及び第２のキャリッジの背面側を示す斜視構成図である。
【図１２】図１２は照明ランプへの供給電力を示すグラフである。
【図１３】図１３はこの発明の実施の形態１に係る画像読取装置の要部を示す構成図である。
【図１４】図１４は補助反射部材を示す斜視構成図である。
【図１５】図１５は補助反射部材を示す平面構成図である。
【図１６】図１６はアーム部材の取り付け部を示す斜視構成図である。
【図１７】図１７はこの発明の実施の形態１に係る画像読取装置の動作を示す要部構成図である。
【図１８】図１８はこの発明の実施の形態１に係る画像読取装置の動作を示す要部構成図である。
【図１９】図１９はこの発明の実施の形態１に係る画像読取装置の動作を示す要部構成図である。
【図２０】図２０はこの発明の実施の形態１に係る画像読取装置の作用をそれぞれ示すグラフである。
【符号の説明】
【００５１】
２１：照明ランプ、２３：第１のキャリッジ、２６：第２のキャリッジ、４０：照明用電源、５０：補助反射部材、５１：アーム部材、５２：補助反射板。
【図１】
2008085394.tif 000003
【図２】
2008085394.tif 000004
【図３】
2008085394.tif 000005
【図４】
2008085394.tif 000006
【図５】
2008085394.tif 000007
【図６】
2008085394.tif 000008
【図７】
2008085394.tif 000009
【図８】
2008085394.tif 000010
【図９】
2008085394.tif 000011
【図１０】
2008085394.tif 000012
【図１１】
2008085394.tif 000013
【図１２】
2008085394.tif 000014
【図１３】
2008085394.tif 000015
【図１４】
2008085394.tif 000016
【図１５】
2008085394.tif 000017
【図１６】
2008085394.tif 000018
【図１７】
2008085394.tif 000019
【図１８】
2008085394.tif 000020
【図１９】
2008085394.tif 000021
【図２０】
2008085394.tif 000022